(57)【要約】【課題】  従来の強制通風式冷却塔は直接大気と接触させているため、大気の相対湿度が飽和状態すなわち１００％に近い状態にある場合は冷却水または散水の蒸発がしにくい状態にある、また小型化を重視するため冷却水または散水を狭い範囲で滴下することでウォーターカーテン状になり大気通過を妨げていることで冬季の大気は温度が低くなっているのに冷却ファン運転をしないと冷却能力が出ない。【解決手段】  従来形冷却塔で採用されている大気を直接冷却水または散水に接触させていることで蒸発しにくい大気状態がある、この状態を冷却水または冷却媒体の顕熱を使い大気温度を上昇させ水蒸気飽和点を上げ冷却水または散水に接触させることで蒸発促進させる、また気化熱を交換する気化冷却部の大気入口側下部に冷却水または冷却媒体の発熱源側に顕熱交換する熱交換器を取付け、大気を膨張させ上昇気流を滴下水が大気の通過を妨げない構造する。【選択図】図１
2010266180.tif 000002
【特許請求の範囲】
【請求項１】
強制通風式開放形冷却塔および密閉形冷却塔の気化熱交換部の大気入口側下部に顕熱交換器を取付け通過させ大気で気化熱交換部の効率を向上させた冷却塔。
【請求項２】
強制通風式開放形冷却塔および密閉形冷却塔の気化熱交換部の大気入口側に補助用顕熱交換用ユニットを取付け通過させ大気で気化熱交換部の効率を向上させるための顕熱交換用ユニット。
【発明の詳細な説明】
【技術分野】
【０００１】  本発明は、空調用冷凍機や冷温水発生器用の強制通風式開放形冷却塔および密閉形冷却塔に関するものである。
【背景技術】
【０００２】  従来の強制通風式開放形および密閉形では交流冷却塔または直交流冷却塔を採用し、直接的に開放形では冷却水または密閉形では散水と大気を接触させた時の気化熱、潜熱により冷却させる方式が広く知られている。
【先行技術文献】
【特許文献】
【０００３】
【特許文献１】特開平８−３０３９８９
【非特許文献】
【０００４】
【非特許文献１】日本冷却塔工業会ホームページ
【発明の概要】
【発明が解決しようとする課題】
【０００５】  従来の強制通風式冷却塔は直接大気と接触させているため、大気の相対湿度が飽和状態すなわち１００％に近い状態にある場合は冷却水または散水の蒸発がしにくい状態にある、また近年の冷却塔は小型化を重視するため冷却水または散水を狭い範囲で滴下することでウォーターカーテン状になり大気通過を妨げている、そこで大気を大量に冷却用送風機で冷却水または散水に強制的に接触させることで冷却塔の能力を発揮させている、大量の大気を接触させるには冷却用送風機が大型化してしまうことになる。【０００６】  近年は事務所内の冷房負荷が増加していることで、冬季でも冷房する建物が増え冷却塔が使用される、冬季の大気は温度が低くなっているので冷却塔の効率は上がるので冷却用送風機の運転をしなくても冷却できると思われるが、却水または散水を狭い範囲で滴下することでウォーターカーテン状になり大気通過を妨げていることで冷却用送風機の運転をしないと冷却できない、また大気の温度が低くなることで水蒸気の飽和点も低くなり、従来形である気化熱主体の冷却塔では冷却水または散水の蒸発効率が低いため冷却用送風機の運転が必要になってしまう。【０００７】  密閉型冷却塔では散水用の給水に含まれるカルキや殺菌用薬剤などで冷却配管にスケールが付着するため年々熱交換率が低下していく。
【課題を解決するための手段】
【０００８】  本発明は多くの従来形冷却塔で採用されている大気の空気状態を直接冷却水または散水に接触させていることで発生している蒸発しにくい大気状態がある、この大気状態を冷却水または冷却媒体の顕熱を使い大気乾球温度を上昇させ水蒸気飽和点を上げ冷却水または散水に接触させることで蒸発を促進させる。【０００９】  また従来形強制通風式冷却塔の気化熱を交換する気化冷却部の大気入口側下部に冷却水または冷却媒体の発熱源側に顕熱を交換する熱交換器を取付け、大気を膨張させ上昇気流を滴下水が大気の通過を妨げない構造を特徴とするものである。
【発明の効果】
【００１０】  本発明は下記に記載されるような効果がある。【００１１】  発熱源から供給された高温の冷却水または冷却媒体が顕熱交換器内を通過したときの作用で熱交換器付近の大気温度が上昇すると乾球温度が上がり相対湿度が下がると同時に水蒸気の飽和点も上昇するため、気化冷却部での冷却水または散水の蒸発効率が上がり冷却用送風機の小型化ができる。【００１２】  冬季は大気の乾球温度が下がることで大気との温度差が大きくなり顕熱交換器での熱交換で冷却水または冷却媒体が冷却できる。【００１３】  冬季は顕熱交換器での乾球温度上昇により大気が膨張することで上昇気流が発生し、顕熱交換器への大気供給がされると同時に気化冷却部へもその乾球温度と水蒸気飽和点の上昇した大気が供給されることで冷却水または散水の蒸発効率が上がり冷却用送風機の運転削減ができる。【００１４】  密閉型冷却塔では顕熱冷却部を作ることで散水によるスケールの付着がないことで永年の能力低下が少なくなる。
【図面の簡単な説明】
【００１５】
【図１】本発明の実施例の概略構成正面図である。
【図２】（Ａ）は本発明の実施例の開放形冷却塔正面断面図である。（Ｂ）は本発明の実施例の開放形冷却塔右面断面図である。
【図３】（Ａ）は本発明の実施例の密閉形冷却塔正面断面図である。（Ｂ）は本発明の実施例の密閉形冷却塔右面断面図である。
【図４】（Ａ）は本発明の実施例の顕熱交換用コイルユニットである。（Ｂ）は本発明の顕熱交換用コイルユニットを強制通風式冷却塔の大気入口に設置した実施例のである。
【発明を実施するための形態】
【００１６】  図１、図２、図３は強制通風式冷却塔の本発明を一体形にした冷却塔で、気化熱を交換する気化冷却部の大気入口側下部に冷却水または冷却媒体の発熱源側に顕熱を交換する熱交換器を取付け、気化熱交換部と顕熱交換器の側面をケーシング用平板で覆い大気の取入れ口を底面側にする、また冷却水または散水の滴下水が大気通過を妨げない構造する。
【実施例】
【００１７】  以下本発明の実施例について図面を参照しながら説明をする。【００１８】  図１で示すように強制通風式冷却塔１の大気取入れ下部に空調機などで使用する顕熱交換コイル２を取付け、側面をケーシング用平板６で覆うことで大気取入れ口５を底面側にする、大気取入れ口５から取入れられた大気は顕熱交換器２で乾球温度を上昇させ、冷却ファン４の運転により気化熱交換部３に供給される、顕熱交換器２で暖めら大気は相対湿度が低くなることで気化熱交換部３では蒸発効率が大きくなる。【００１９】  また冬季や中間期は冷却水温度と大気温度の差が大きくなると顕熱交換器２の周囲大気が膨張しケーシング内に上昇気流が発生することで自然通風効果が得られ冷却ファン４の運転が削減できる。【００２０】  図４は冬季運転する既設冷却塔１０に顕熱交換用コイルユニット９を増設し既設冷却塔の冷却水入口配管と顕熱交換用コイルユニット９配管を結び顕熱交換コイル２に冷却水を流すことで上記実施例同様の効果ができる。【００２１】  図２は強制通風式開放形冷却塔の実施例で、図３は強制通風式密閉形冷却塔の実施例を示している。
【符号の説明】
【００２２】１、全熱交換冷却塔
２、顕熱交換用コイル
３、気化熱冷却部
４、冷却ファン
５、大気取入れ部
６、ケーシング用平板
７、冷却水入口
８、冷却水出口
９、顕熱交換用コイルユニット
１０、強制通風式冷却塔
【図１】
2010266180.tif 000003
【図２】
2010266180.tif 000004
【図３】
2010266180.tif 000005
【図４】
2010266180.tif 000006